(57)【要約】【課題】本発明は、使用時のみ収納ボックスを置くためのスペースをわざわざ設けたり、専用の固定部材を設けて普段の使い勝手や外観を損ねることがなく、収納ボックス使用時は所望の場所に移動させて、一時的固定して使用することができるため、立ったままの場合はもちろん、座ったまま使用する場合でも使い勝手のよい洗面化粧台を提供することを目的とする。【解決手段】本発明は、洗面ボールと、化粧鏡と、化粧鏡の奥に着脱可能に収納された収納ボックスと、取っ手を有する引出しや扉とを備える洗面化粧台において、前記収納ボックスのフックの幅を、前記引出しや扉の取っ手の幅の内寸よりも狭くすることにより、前記収納ボックスを前記引出しや扉の取っ手に着脱可能とした洗面化粧台である。また、本発明は、上記において、引出しや扉の取っ手が、洗面化粧台の洗面ボールの幅をはみ出すように設けられた洗面化粧台である。【選択図】図３
2007209448.tif 000002
【特許請求の範囲】
【請求項１】
洗面ボールと、化粧鏡と、化粧鏡の奥に着脱可能に収納された収納ボックスと、取っ手を有する引出しや扉とを備える洗面化粧台において、前記収納ボックスのフックの幅を、前記引出しや扉の取っ手の幅の内寸よりも狭くすることにより、前記収納ボックスを前記引出しや扉の取っ手に着脱可能とした洗面化粧台。
【請求項２】
請求項１において、引出しや扉の取っ手の位置が、洗面化粧台の洗面ボールの幅をはみ出すように設けられた洗面化粧台。
【発明の詳細な説明】
【技術分野】
【０００１】
本発明は、着脱可能な収納ボックスを備えた洗面化粧台に関する。
【背景技術】
【０００２】
図９に示すように、カウンターに備えた洗面ボール１後方の上面部分に、縦長に３分割された化粧鏡２を備え、それぞれの化粧鏡２の奥に収納ボックスを備えた洗面化粧台が知られている。このような洗面化粧台では、普段は収納ボックスに化粧品や石鹸等の小物を収納しておき、使用する場合は図１０に示すように、化粧鏡２を扉のように開くことで収納ボックス３より小物を出し入れすることができる。このため、散らかり易い小物を普段は見えない場所に収納してすっきり片付けることができ、また、使うときは出し入れすることができるため、たいへん便利なものである。
【０００３】
収納ボックスに収納した小物を取り出し易くするため、鏡を左右両方向に開閉できるようにした洗面化粧台が知られている（特許文献１）。また、鏡を使用しながら、収納ボックス内の小物を出し入れできるようにした洗面化粧台が知られている（特許文献２）。
【特許文献１】特開２００３−７０５７０号公報
【特許文献２】特開２００５−１９２８３９号公報
【発明の開示】
【発明が解決しようとする課題】
【０００４】
しかしながら、一般に、洗面化粧台は小物を入れる収納ボックスがカウンターより高い化粧鏡の奥にあるため、椅子に座って化粧や髪の手入れ等をする場合は、必要な小物を出し入れするために、わざわざ立ち上がったり、大きく手を伸ばしたりする必要があった。このため、椅子に座った状態で洗面化粧台を使用する場合でも、収納ボックスの小物を、予め、手の届き易い位置においておけるようにしたいという要望が強い。
【０００５】
また、立ったまま洗面化粧台を使用する場合でも、洗髪や洗顔等の際は、髪や顔が濡れた状態のため、カウンターより上を向くことができず、化粧鏡の奥に必要な小物があると手探りとなってしまうため、予め、小物をカウンターより下方に置いておきたいという要望がある。
【０００６】
しかし、上記の問題を解決するため、収納ボックスをカウンターの上に置くと、固定されていないため安定が悪く、また、カウンターが手狭になる問題がある。また、カウンターより下には収納ボックスを置けるような場所はなく、仮に収納ボックスを置くスペースを設けると、普段は邪魔になったり、見た目が悪い問題があった。
【０００７】
本発明は、上記問題に鑑みなされたもので、使用時のみ収納ボックスを置くためのスペースをわざわざ設けたり、専用の固定部材を設けて普段の使い勝手や外観を損ねることがなく、収納ボックス使用時は所望の場所に移動させて、一時的固定して使用することができるため、立ったままの場合はもちろん、座ったまま使用する場合でも使勝手のよい洗面化粧台を提供することを目的とする。
【課題を解決するための手段】
【０００８】
（１）  本発明は、洗面ボールと、化粧鏡と、化粧鏡の奥に着脱可能に収納された収納ボックスと、取っ手を有する引出しや扉とを備える洗面化粧台において、前記収納ボックスのフックの幅を、前記引出しや扉の取っ手の幅の内寸よりも狭くすることにより、前記収納ボックスを前記引出しや扉の取っ手に着脱可能とした洗面化粧台である。
（２）  本発明は、項（１）において、引出しや扉の取っ手が、洗面化粧台の洗面ボールの幅をはみ出すように設けられた洗面化粧台である。
【発明の効果】
【０００９】
本発明によれば、収納ボックスを引出しや扉の取っ手に引っ掛けておくことができるので、立ったままの場合はもちろん、座ったまま使用する場合でも使い勝手のよい洗面化粧台を提供することができる。（請求項１）
【００１０】
本発明によれば、引出しや扉の取っ手に引っ掛けた収納ボックスを、洗面ボールよりも略外側に配置できるため、洗面化粧台を使用する際、収納ボックスが邪魔にならない。（請求項２）
【発明を実施するための最良の形態】
【００１１】
本発明の洗面化粧台は、例えば図１および図２に示すように、洗面ボール１と、化粧鏡２と、収納ボックス３と、取っ手４を有する引出し５や扉６とを備えるものである。
【００１２】
収納ボックス３は、通常化粧鏡２の奥に配置されていればよく、特に限定するものではないが、例えば図２に示すように、化粧鏡２の奥に設けておき、化粧鏡２を斜め手前に倒すことにより、収納ボックス３が現れるようにすると、収納ボックス３に入れた小物の出し入れがし易いため望ましい。さらに、図２に示すように、化粧鏡２の上端に蝶番を設けて、角度を可変とすることで、収納ボックス３から小物の出し入れが可能な状態のままで、化粧鏡２を所望の角度に傾けることが可能となるため望ましい。
【００１３】
収納ボックス３は、図３に示すように、小物を入れるボックスとして独立したものとする。これにより、必要な時は、収納されていた化粧鏡２の奥から、入っている小物ごと収納ボックス３をそっくり外に取り出して、使用することができる。例えば、洗面化粧台の手の届く位置に置いて使用すれば、椅子に座っていても、立ち上がったり、中腰になったりせずにすみ、使勝手がよい。このため、使用の度に化粧鏡２を開け閉めしたり、立ったり座ったりする回数が減り、使い勝手が向上する。
【００１４】
図３に示すように、収納ボックス３にフック７を設ければ、このフック７のかかるところであれば、どこでも一時的に収納ボックス３を固定することができる。これにより、収納ボックス３を置くための水平なスペースが必ずしも必要ではなくなり、垂直面であってもフック７が引っ掛かりさえすれば一時的に固定することが可能になる。また、フック７により固定されるため、収納ボックス３が倒れて中の小物が散らばったりする心配がない。また、洗面化粧台の天板８以外の場所に収納ボックスを引っ掛けて置くことができるため、天板８の上に場所をとらず手狭になることがない。
【００１５】
図４に示すように、引出し５の取っ手４の幅（内寸）９を、図３の収納ボックス３のフックの幅１０よりも大きくすることで、引出し５の取っ手４に収納ボックス３のフック７を引っ掛けることが可能となる。一般に洗面化粧台の引出し５や扉６は複数あるため、使用者は、自分が使い易い位置にある取っ手４を選んで、収納ボックス３を保持することができる。また、このように引出し５や扉６の取っ手４を収納ボックス３を一時的に固定するための部材としても使用できるようにすることで、収納ボックス３のフック７を引っ掛けるための専用の部材を洗面化粧台に取り付けておく必要がないため、普段の使用においても邪魔になることがなく、洗面化粧台の外観を損ねることもない。
【００１６】
これにより、特に、化粧や髪の手入れをするときなどのように、椅子に座って洗面化粧台を使用する場合は、椅子に座ったままで必要な小物を出し入れできる位置を選んで収納ボックス３を保持しておくことができ、わざわざ立ち上がったり、大きく手を伸ばしたりする必要がない。
また、立ったまま洗面化粧台を使用する場合でも、洗髪や洗顔等の際は、髪や顔が濡れた状態のため、カウンターより上を向くことができず、カウンターより上の、例えば化粧鏡２の奥に必要な小物があると手探りとなってしまうため、予め、小物を入れた収納ボックス３をカウンターより下方の引き出し５や扉６の取っ手４に引っ掛けておくことで、下を向いたまま、目で確認しながら、必要な小物を出し入れすることができる。
さらに、フック７を取っ手４に引っ掛けただけなので、収納ボックスの着脱は容易であり、使い終わったら、すぐにまた元の収納されていた化粧鏡２の奥に移動することができるので、片付けも容易である。
【００１７】
なお、このように、取り出した収納ボックス３を洗面化粧台に着脱可能に保持する方法としては、上述したように収納ボックス３に設けたフック７と引出し５や扉６の取っ手４を用いる方法に限定するものではなく、例えば、収納ボックス３に磁石を取付け、洗面化粧台の引出し５の前板や扉６に鉄板を下地としたものを使用することにより、磁力によって保持する方法なども使用することができる。その他に、クリップや、マジックテープ、ねじ等を用いて、収納ボックス３を着脱可能に保持することも可能である。
【００１８】
引出し５や扉６の取っ手５は、少なくともそのひとつの一部または全部が、図５に示すように、洗面ボール１の幅１１を外側にはみ出すように設けられているのが望ましい。つまり、図６に示すように、取っ手５が洗面ボール１の幅１１の内側だと、収納ボックス３を取っ手４に引っ掛けた際に収納ボックス３が使用者の正面近くに来るため、使用者の脚や膝に当たって邪魔になる。一方、図７、図８に示すように、取っ手４の少なくとも一部が洗面ボール１の幅１１を外側にはみ出していると、取っ手５に引っ掛けられる収納ボックス３の位置は、洗面化粧台の使用者の正面の位置からずれることになり、収納ボックス３に脚や膝がぶつかって邪魔になるのを防ぐことができる。
【実施例】
【００１９】
本実施例の洗面化粧台は、図１に示すように、洗面ボール１と、化粧鏡２と、収納ボックス３と、取っ手４を有する引出し５や扉６とを備えるものである。
【００２０】
収納ボックス３は、図２に示すように、化粧鏡２の奥に設けておき、化粧鏡２を斜め手前に倒すことにより、収納ボックス３が現れるようにする。これにより、収納ボックス３に入れた小物の出し入れをし易くすることができる。さらに、収納ボックス３を覆う化粧鏡２の上端に蝶番を設けて角度を可変とする。これにより、収納ボックス３から小物の出し入れが可能な状態のままで、化粧鏡２を所望の角度に傾けることが可能となる。
【００２１】
収納ボックス３は、図３に示すように、小物を入れるボックスとして独立したものとする。これにより、必要な時は、収納されていた化粧鏡２の奥から、入っている小物ごとそっくり外に取り出して、使用することができる。
【００２２】
図３に示すように、収納ボックス３にフック７を設ける。また、図４に示すように、引出し５の取っ手の幅（内寸）９を、図３の収納ボックス３のフックの幅１０よりも大きくする。これにより、引出し５の取っ手に収納ボックス３のフック７を引っ掛けることが可能となる。図１に示すように、本実施例の洗面化粧台の引出し５や扉６は複数あるため、使用者は、自分が使い易い位置にある取っ手４を選んで、収納ボックス３を保持することができる。また、引っ掛けて固定されているので、ひっくり返って中身が散らばることもなく、洗面化粧台の天板８以外の場所に置くことができるので、天板８の上に場所をとらず手狭になることがない。さらに、フック７を取っ手４に引っ掛けただけなので、着脱は容易であり、使い終わったら、すぐにまた元収納されていた化粧鏡の奥に移動することができるので、片付けも容易である。
【００２３】
引出し５や扉６の取っ手５は、少なくともそのひとつの一部が、図５に示すように、洗面ボール１の幅１１を外側にはみ出すように設けられている。これにより、取っ手４に引っ掛けられる収納ボックス３は、使用者の正面から外れるため、取っ手５に引っ掛けられる収納ボックス３の位置は、洗面化粧台の使用者の位置からずれることになり、収納ボックス３に脚や膝がぶつかって邪魔になるのを防ぐことができる。
【図面の簡単な説明】
【００２４】
【図１】本発明の実施例１の洗面化粧台である。
【図２】本発明の実施例１の洗面化粧台の収納ボックスを収納している化粧鏡である。
【図３】本発明の実施例１に使用する収納ボックスである。
【図４】本発明の実施例１に使用する引出しである。
【図５】本発明の実施例１に使用する洗面ボールと引出しと扉を備えるキャビネットである。
【図６】本発明の洗面ボールと引出しまたは扉の取っ手との位置関係を表す図である（取っ手の全体が洗面ボールの幅の中にある場合）。
【図７】本発明の洗面ボールと引出しまたは扉の取っ手との位置関係を表す図である（取っ手の一部が洗面ボールの幅の外にはみ出した場合）。
【図８】本発明の洗面ボールと引出しまたは扉の取っ手との位置関係を表す図である（取っ手の全体が洗面ボールの幅の外にはみ出した場合）。
【図９】従来の洗面化粧台の正面図である。
【図１０】従来の洗面化粧台の斜視図である。
【符号の説明】
【００２５】
１…洗面ボール、２…化粧鏡、３…収納ボックス、４…取っ手、５…引出し、６…扉、７…フック、８…天板、９…取っ手の幅（内寸）、１０…フックの幅、１１…洗面ボールの幅、１２…キャビネット
【図１】
2007209448.tif 000003
【図２】
2007209448.tif 000004
【図３】
2007209448.tif 000005
【図４】
2007209448.tif 000006
【図５】
2007209448.tif 000007
【図６】
2007209448.tif 000008
【図７】
2007209448.tif 000009
【図８】
2007209448.tif 000010
【図９】
2007209448.tif 000011
【図１０】
2007209448.tif 000012